(57)【特許請求の範囲】
【請求項１】
第１の表示ラインと、前記第１の表示ラインとは偏光特性が異なる第２の表示ラインとを交互に並置した第１のディスプレイと、
前記第１のディスプレイの上部に、前記第１のディスプレイと上下左右反転した状態で並置され、かつ、通常表示を上下左右方向に反転した反転表示を行う第２のディスプレイと、
前記第１および第２のディスプレイにおいて両眼視差による立体視を実現させるため、左眼に視認させる左眼映像データまたは右眼に視認させる右眼映像データの一方を前記第１の表示ラインに対応する位置にライン単位で配置し、他方を前記第２の表示ラインに対応する位置にライン単位で配置した立体表示データを取得するデータ取得部と、
前記第１または第２のディスプレイのうち一方のディスプレイに表示させるための前記立体表示データを奇数ライン分遅延させるデータ遅延部と、
前記第１または第２のディスプレイのうち他方のディスプレイには、前記立体表示データを順次出力し、前記第１または第２のディスプレイのうち一方のディスプレイには、遅延させた前記立体表示データを順次出力する映像出力部と、
を備えることを特徴とする立体映像表示装置。
【請求項２】
前記立体表示データの最初のラインを検出するライン検出部をさらに備え、
前記データ遅延部は、前記最初のラインが検出されると、前記立体表示データを奇数ライン分遅延させるときに生じる奇数ライン分の空白領域に任意のデータを設定することを特徴とする請求項１に記載の立体映像表示装置。
【請求項３】
第１の表示ラインと、前記第１の表示ラインとは偏光特性が異なる第２の表示ラインとを交互に並置した第１のディスプレイと、
前記第１のディスプレイの上部に、前記第１のディスプレイと上下左右反転した状態で並置され、かつ、通常表示を上下左右方向に反転した反転表示を行う第２のディスプレイと、
両眼視差による立体視を実現するための左眼映像データと右眼映像データとが分割形成された立体映像データを保持する映像保持部と、
前記第１または第２のディスプレイのうち一方のディスプレイに表示するため、前記立体映像データにおける前記左眼映像データと右眼映像データとがそれぞれ前記第１の表示ラインと前記第２の表示ラインに対応するように、各水平ラインを交互に並置して第１の立体表示データを出力し、前記第１または第２のディスプレイのうち他方のディスプレイに表示させるため、前記立体映像データにおける前記左眼映像データと右眼映像データとがそれぞれ前記第２の表示ラインと前記第１の表示ラインに対応するように、各水平ラインを交互に並置して第２の立体表示データを出力するラインシーケンシャル部と、
を備えることを特徴とする情報処理装置。
【請求項４】
第１の表示ラインと、前記第１の表示ラインとは偏光特性が異なる第２の表示ラインとを交互に並置した第１のディスプレイと、前記第１のディスプレイの上部に、前記第１のディスプレイと上下左右反転した状態で並置され、かつ、通常表示を上下左右方向に反転した反転表示を行う第２のディスプレイにおいて両眼視差による立体視を実現させるため、左眼に視認させる左眼映像データまたは右眼に視認させる右眼映像データの一方を前記第１の表示ラインに対応する位置にライン単位で配置し、他方を前記第２の表示ラインに対応する位置にライン単位で配置した立体表示データを取得し、
前記第１または第２のディスプレイのうち一方のディスプレイに表示させるための前記立体表示データを奇数ライン分遅延させ、
前記第１または第２のディスプレイのうち他方のディスプレイには、前記立体表示データを順次出力し、
前記第１または第２のディスプレイのうち一方のディスプレイには、遅延させた前記立体表示データを順次出力することを特徴とする立体映像表示方法。
【請求項５】
両眼視差による立体視を実現するための左眼映像データと右眼映像データとが分割形成された立体映像データを保持し、
第１の表示ラインと、前記第１の表示ラインとは偏光特性が異なる第２の表示ラインとを交互に並置した第１のディスプレイ、または前記第１のディスプレイの上部に、前記第１のディスプレイと上下左右反転した状態で並置され、かつ、通常表示を上下左右方向に反転した反転表示を行う第２のディスプレイのうち一方のディスプレイに表示するため、前記立体映像データにおける前記左眼映像データと右眼映像データとがそれぞれ前記第１の表示ラインと前記第２の表示ラインに対応するように、各水平ラインを交互に並置して第１の立体表示データを出力し、
前記第１または第２のディスプレイのうち他方のディスプレイに表示させるため、前記立体映像データにおける前記左眼映像データと右眼映像データとがそれぞれ前記第２の表示ラインと前記第１の表示ラインに対応するように、各水平ラインを交互に並置して第２の立体表示データを出力することを特徴とする立体映像表示方法。
【発明の詳細な説明】
【技術分野】
【０００１】
本発明は、ディスプレイを通じて両眼視差による立体映像を結像させることが可能な立体映像表示装置、情報処理装置および立体映像表示方法に関する。
【背景技術】
【０００２】
近年、液晶ディスプレイ（Liquid Crystal Display :LCD）や、有機ＥＬ(Electro Luminescence)ディスプレイ等のディスプレイにおける大画面化が進行しているが、それでもなお、大人数が集まるイベントにディスプレイを利用したり、ビルの外壁にディスプレイを設置したりする場合にはディスプレイの大きさが足りないことがある。そこで、複数のディスプレイを組み合わせたマルチ画面を１画面として映像を表示する構成が考えられる。
【０００３】
しかし、図１４（ａ）に示すように、一般的なディスプレイ１０は、表示面１２の下方にある下方フレーム部１４に、映像に付随する音声を出力するためのスピーカや操作部等を含む場合がある。かかる下方フレーム部１４は、映像を表示することができない。したがって、例えば図１４（ｂ）に示すように、２つのディスプレイ１０（図１４（ｂ）中１０ａ、１０ｂで示す）をそのまま上下に並置してマルチ画面を構成すると、表示面１２ａ、１２ｂにディスプレイ１０ａの下方フレーム部１４ａが間在してしまい、表示面１２ａ、１２ｂに１つの映像を表示すると映像の連続性が大きく損なわれてしまう。
【０００４】
そこで、図１４（ｃ）に示すように、例えば上側に配置すべきディスプレイ１０ａを上下左右反転させることで、表示面１２の間に下方フレーム部１４が存在しないようにマルチ画面を構成することが考えられる。しかし、このように、一部のディスプレイ１０ａを上下左右反転させて配置する場合、ディスプレイ１０ａの表示面１２ａに表示される映像は、上下左右が反転された状態になってしまい、意図している映像を表現できない問題が生じる。
【０００５】
そこで、通常表示と、通常表示を上下方向に反転した反転表示とを切り替え可能な切り替えスイッチを設け、切り替えスイッチを通じて反転表示が指示された場合に、表示画面に対応した画像信号を最終アドレスから順次読み出し、その読み出された信号単位の最上位ビットと最下位ビットとを反転してディスプレイ（表示面）に表示させる技術（例えば、特許文献１）が開示されている。かかる技術を利用し、上下左右反転されたディスプレイ１０ａの表示面１２ａに、映像を反転させて表示させれば、表示面１２ａと表示面１２ｂとで映像が正規の方向で連続し、ユーザは違和感のない映像を楽しむことができる。
【先行技術文献】
【特許文献】
【０００６】
【特許文献１】特開平７−３３４１４８号公報
【発明の概要】
【発明が解決しようとする課題】
【０００７】
一方、近年、ディスプレイの表示面上に、視差を有する２以上の映像を表示し、ユーザ（観察者）に対してあたかもオブジェクトが立体的に存在するように知覚させる立体映像表示装置が脚光を浴びている。
【０００８】
このような映像表示を実現するための技術については、様々な提案がなされており、例えば、μｐｏｌやＸｐｏｌ（登録商標）といった偏光フィルタ方式が提案されている。偏光フィルタ方式を採用する立体映像表示装置では、ディスプレイの表示面に、偏光特性が異なる２種類の偏光フィルタが隔行で（１表示ライン毎に）配置される。ここで、偏光特性が異なるとは、偏光フィルタに直線偏光を利用する場合、一方の偏光フィルタと他方の偏光フィルタとの偏光が例えば直交しており、円偏光を利用する場合、一方の偏光フィルタは左偏光であり他方の偏光フィルタが右偏光であることをいう。そして、一方の偏光フィルタが配置された表示ラインに左眼映像データを、他方の偏光フィルタが配置された表示ラインに右眼映像データを表示することにより、左眼映像データと右眼映像データとが交互に並んだ状態で同時に表示される。そして、ユーザは、偏光眼鏡を通じて、隔行の表示ラインに示された左眼映像を左眼で、右眼映像を右眼で視認し、両眼視差による立体映像を知覚することが可能となる。
【０００９】
上述した両眼視差には、近くの物を見る時に右眼と左眼のいわゆる寄目現象に代表される、それぞれの眼球が向かい合う角度(輻輳角)で奥行きを感じるBinocular parallaxと呼ばれるものと、人間が持つ左右眼球の位置が異なり、立体物を観察した時にそれぞれの眼球の網膜上に投射される像が相違する事で立体を知覚するBinocular disparityと呼ばれるものがあり、ここではこれら双方を含めて両眼視差とする。
【００１０】
偏光フィルタ方式を採用する立体映像表示装置は、ユーザが利用する偏光眼鏡の構造が簡単である等の利点を有するが、１つの結像を視認させるために２つの映像が必要になるので相対的に表示画素数が少なくなるという欠点もある。そこで、立体映像表示装置において、上述した複数のディスプレイを組み合わせたマルチ画面を、映像を表示する１画面として利用する構成が考えられる。
【００１１】
ところで、偏光フィルタ方式を採用する立体映像表示装置のディスプレイは、インターレース方式や、ＶＧＡ（Video Graphics Array）等の表示規格、ＨＤＴＶ（High Definition TeleVision）等の映像規格に対応させるために、偶数本の表示ラインを有している。したがって、ディスプレイの最上部の表示ラインに一方の偏光フィルタが配置されていれば、最下部の表示ラインには他方の偏光フィルタが配置されることとなる。
【００１２】
ここで、立体映像表示装置において、複数のディスプレイのうち一部のディスプレイを上下左右反転させて配置することを試みた場合、上述した特許文献１の技術を利用し、映像データを、上下左右反転させないディスプレイと読み出し順序を逆にして、上下左右反転させるディスプレイに反転表示させると、左眼映像および右眼映像と表示ラインとの対応関係がずれてしまい、ユーザは上下左右が反転したディスプレイを見た場合に有効な立体映像を知覚することができなくなる。
【００１３】
本発明は、このような課題に鑑み、上下左右反転させたディスプレイに反転表示を行う場合であっても、両眼視差による有効な立体表示を実現することが可能な、立体映像表示装置、情報処理装置および立体映像表示方法を提供することを目的としている。
【課題を解決するための手段】
【００１４】
上記課題を解決するために、本発明の立体映像表示装置は、第１の表示ラインと、第１の表示ラインとは偏光特性が異なる第２の表示ラインとを交互に並置した第１のディスプレイと、第１のディスプレイの上部に、第１のディスプレイと上下左右反転した状態で並置され、かつ、通常表示を上下左右方向に反転した反転表示を行う第２のディスプレイと、第１および第２のディスプレイにおいて両眼視差による立体視を実現させるため、左眼に視認させる左眼映像データまたは右眼に視認させる右眼映像データの一方を第１の表示ラインに対応する位置にライン単位で配置し、他方を第２の表示ラインに対応する位置にライン単位で配置した立体表示データを取得するデータ取得部と、第１または第２のディスプレイのうち一方のディスプレイに表示させるための立体表示データを奇数ライン分遅延させるデータ遅延部と、第１または第２のディスプレイのうち他方のディスプレイには、立体表示データを順次出力し、第１または第２のディスプレイのうち一方のディスプレイには、遅延させた立体表示データを順次出力する映像出力部と、を備えることを特徴とする。
【００１５】
上記立体映像表示装置は、立体表示データの最初のラインを検出するライン検出部をさらに備え、データ遅延部は、最初のラインが検出されると、立体表示データを奇数ライン分遅延させるときに生じる奇数ライン分の空白領域に任意のデータを設定してもよい。
【００１６】
上記課題を解決するために、本発明の情報処理装置は、第１の表示ラインと、第１の表示ラインとは偏光特性が異なる第２の表示ラインとを交互に並置した第１のディスプレイと、第１のディスプレイの上部に、第１のディスプレイと上下左右反転した状態で並置され、かつ、通常表示を上下左右方向に反転した反転表示を行う第２のディスプレイと、両眼視差による立体視を実現するための左眼映像データと右眼映像データとが分割形成された立体映像データを保持する映像保持部と、第１または第２のディスプレイのうち一方のディスプレイに表示するため、立体映像データにおける左眼映像データと右眼映像データとがそれぞれ第１の表示ラインと第２の表示ラインに対応するように、各水平ラインを交互に並置して第１の立体表示データを出力し、第１または第２のディスプレイのうち他方のディスプレイに表示させるため、立体映像データにおける左眼映像データと右眼映像データとがそれぞれ第２の表示ラインと第１の表示ラインに対応するように、各水平ラインを交互に並置して第２の立体表示データを出力するラインシーケンシャル部と、を備えることを特徴とする。
【００１７】
上記課題を解決するために、本発明の立体映像表示方法は、第１の表示ラインと、第１の表示ラインとは偏光特性が異なる第２の表示ラインとを交互に並置した第１のディスプレイと、第１のディスプレイの上部に、第１のディスプレイと上下左右反転した状態で並置され、かつ、通常表示を上下左右方向に反転した反転表示を行う第２のディスプレイにおいて両眼視差による立体視を実現させるため、左眼に視認させる左眼映像データまたは右眼に視認させる右眼映像データの一方を第１の表示ラインに対応する位置にライン単位で配置し、他方を第２の表示ラインに対応する位置にライン単位で配置した立体表示データを取得し、第１または第２のディスプレイのうち一方のディスプレイに表示させるための立体表示データを奇数ライン分遅延させ、第１または第２のディスプレイのうち他方のディスプレイには、立体表示データを順次出力し、第１または第２のディスプレイのうち一方のディスプレイには、遅延させた立体表示データを順次出力することを特徴とする。
【００１８】
上記課題を解決するために、本発明の他の立体映像表示方法は、両眼視差による立体視を実現するための左眼映像データと右眼映像データとが分割形成された立体映像データを保持し、第１の表示ラインと、第１の表示ラインとは偏光特性が異なる第２の表示ラインとを交互に並置した第１のディスプレイ、または第１のディスプレイの上部に、第１のディスプレイと上下左右反転した状態で並置され、かつ、通常表示を上下左右方向に反転した反転表示を行う第２のディスプレイのうち一方のディスプレイに表示するため、立体映像データにおける左眼映像データと右眼映像データとがそれぞれ第１の表示ラインと第２の表示ラインに対応するように、各水平ラインを交互に並置して第１の立体表示データを出力し、第１または第２のディスプレイのうち他方のディスプレイに表示させるため、立体映像データにおける左眼映像データと右眼映像データとがそれぞれ第２の表示ラインと第１の表示ラインに対応するように、各水平ラインを交互に並置して第２の立体表示データを出力することを特徴とする。
【発明の効果】
【００１９】
本発明は、上下左右反転させたディスプレイに反転表示を行う場合であっても、両眼視差による有効な立体表示を実現することが可能となる。
【図面の簡単な説明】
【００２０】
【図１】第１の実施形態にかかる立体映像表示装置の使用形態図である。
【図２】第１の実施形態にかかる立体映像表示装置の概略的な機能を示した機能ブロック図である。
【図３】立体映像データから立体表示データを生成する処理を説明するための説明図である。
【図４】ライン検出部とデータ遅延部の構成を説明するための説明図である。
【図５】映像出力部が通常ディスプレイに出力する際の処理について説明するための説明図である。
【図６】映像出力部が反転ディスプレイに出力する際の処理について説明するための説明図である。
【図７】反転表示させる機能を有さない反転ディスプレイを説明するための説明図である。
【図８】第１の実施形態にかかる他の立体映像表示装置の概略的な機能を示した機能ブロック図である。
【図９】第１の実施形態にかかる立体映像表示方法の全体的な流れを示したフローチャートである。
【図１０】第２の実施形態にかかる情報処理装置の概略的な機能を示した機能ブロック図である。
【図１１】ラインシーケンシャル部を説明するための説明図である。
【図１２】ラインシーケンシャル部を説明するための説明図である。
【図１３】第２の実施形態にかかる立体映像表示方法の全体的な流れを示したフローチャートである。
【図１４】従来の問題点を説明するための説明図である。
【発明を実施するための形態】
【００２１】
以下に添付図面を参照しながら、本発明の好適な実施形態について詳細に説明する。かかる実施形態に示す寸法、材料、その他具体的な数値などは、発明の理解を容易とするための例示にすぎず、特に断る場合を除き、本発明を限定するものではない。なお、本明細書及び図面において、実質的に同一の機能、構成を有する要素については、同一の符号を付することにより重複説明を省略し、また本発明に直接関係のない要素は図示を省略する。
【００２２】
（第１の実施形態）
図１は、第１の実施形態にかかる立体映像表示装置１００の使用形態図である。図１に示すように、立体映像表示装置１００は、複数（本実施形態では２つ）のディスプレイ１２０（図１中１２０Ａ、１２０Ｂで示す）を含んで構成され、ディスプレイ１２０Ｂは、ディスプレイ１２０Ａの上部に並置されている。なお、立体映像表示装置１００は、ディスプレイ１２０のアスペクト比を維持するために、ｎ２個（ｎは整数とし、例えば４個）のディスプレイ１２０を有することが多く、この場合、複数のディスプレイ１２０をその用途に応じて二分した場合の一方のディスプレイ群（複数のディスプレイ１２０Ｂ）は、他方のディスプレイ群（複数のディスプレイ１２０Ａ）の上部に並置されているが、ここでは説明の便宜上、ディスプレイ１２０Ａおよびディスプレイ１２０Ｂを１個ずつ有することとする。
【００２３】
一般的にディスプレイ１２０の下方フレーム部１２２（図１中１２２Ａ、１２２Ｂで示す）には、映像に付随する音声を出力するためのスピーカ１４０（図１中、１４０ａ〜１４０ｄで示す）や操作部（図示せず）等を含むことが多く、この下方フレーム部１２２は、映像を表示することができない。したがって、立体映像表示装置１００は、ディスプレイ１２０Ｂを、ディスプレイ１２０Ａの上部に上下左右反転した状態で並置することで、ディスプレイ１２０Ａの表示面１２４Ａと、ディスプレイ１２０Ｂの表示面１２４Ｂとの間に下方フレーム部１２２が間在してしまうことによる映像の不連続性を回避している。
【００２４】
立体映像表示装置１００は、ディスプレイ１２０Ａに映像を表示させる場合、ユーザが視認し易いように、ユーザの視認姿勢に上下を合わせて（通常表示で）映像を表示させる。
【００２５】
一方、立体映像表示装置１００は、ディスプレイ１２０Ａの上部に上下左右反転させた状態で並置したディスプレイ１２０Ｂに映像を表示させる場合、ディスプレイ１２０Ａの場合と同様の順で映像データ（立体表示データ）を出力すると、映像は上下左右の位置が反転された状態で表示されてしまう。このとき、立体表示データを通常表示と逆順に出力すると、左眼映像および右眼映像と表示ラインとの対応関係がずれてしまい、ユーザは有効な立体映像を知覚することができなくなる。
【００２６】
そこで、本実施形態では、上述したような、ユーザが上下左右反転されたディスプレイ１２０Ｂを視認する場合であっても、正規の表示方向、かつ、両眼視差による有効な立体表示でその映像を把握することが可能な、立体映像表示装置１００および立体映像表示方法について説明する。なお、本実施形態において、両眼視差は、上述したBinocular parallaxもしくはBinocular disparityのいずれか一方または両方を含むものとする。また、以下では、第１のディスプレイとしてディスプレイ１２０Ａ（以下、理解を容易にするため通常ディスプレイ１２０Ａと称す）を、第２のディスプレイとしてディスプレイ１２０Ｂ（以下、理解を容易にするため反転ディスプレイ１２０Ｂと称す）を例に挙げて説明するが、かかる場合に限られず、第１のディスプレイとしてディスプレイ１２０Ｂを、第２のディスプレイとしてディスプレイ１２０Ａを適用することもできる。
【００２７】
（立体映像表示装置１００）
図２は、第１の実施形態にかかる立体映像表示装置１００の概略的な機能を示した機能ブロック図である。図２に示すように、立体映像表示装置１００は、データ取得部１５０と、データ処理部１５２と、ライン検出部１５４と、データ遅延部１５６と、映像出力部１５８と、複数のディスプレイ１２０（ここでは、通常ディスプレイ１２０Ａおよび反転ディスプレイ１２０Ｂ）とを含んで構成される。ここでは立体映像表示装置１００がディスプレイ１２０を含んで構成される場合を説明するが、立体映像表示装置１００とディスプレイ１２０とを別体に構成することもできる。
【００２８】
データ取得部１５０は、外部の放送局１０４から放送された立体表示データを、アンテナ１０６を介して取得する。また、データ取得部１５０は、立体表示データを、ＤＶＤ（Digital Versatile Disc）やＢＤ（Blu-ray Disc）といった記録媒体１０８や、通信網（インターネットやＬＡＮ）１１０を介して外部のサーバ１１２からも取得することができる。
【００２９】
ここで立体表示データは、ディスプレイ１２０において両眼視差による立体視を実現させるため、左眼に視認させる左眼映像データまたは右眼に視認させる右眼映像データの一方をディスプレイ１２０の第１の表示ラインに対応する位置にライン単位で配置し、他方をディスプレイ１２０の第２の表示ラインに対応する位置にライン単位で配置したものである。
【００３０】
本実施形態において、データ取得部１５０は、既に立体表示データの形式になっているデータを直接取得するが、左眼映像データと右眼映像データとが分離した状態で関連付けられる立体映像データ（サイドバイサイド方式やトップアンドボトム方式）を取得した場合、取得した立体映像データをライン単位で並べ替えて立体表示データを生成することもできる（ラインシーケンシャル処理）。
【００３１】
図３は、立体映像データ２００から立体表示データ２０２を生成する処理を説明するための説明図である。例えば図３に示すようなトップアンドボトム方式の立体映像データ２００は、両眼視差による立体視を実現させるための左眼映像データ２００ａと右眼映像データ２００ｂとが分離した状態で関連付けられている。したがって、データ取得部１５０は、トップアンドボトム方式による立体映像データ２００を取得した場合、左眼映像データ２００ａまたは右眼映像データ２００ｂの一方の映像データをディスプレイ１２０の第１の表示ラインに対応する位置にライン単位で配置し、他方の映像データを第２の表示ラインに対応する位置にライン単位で配置する、すなわち、データ取得部１５０は、図３に示すように、左眼映像データ２００ａと右眼映像データ２００ｂとをライン単位で交互に並置することで立体表示データ２０２を生成する。
【００３２】
以下、左眼映像データ２００ａのライン単位のデータを左眼ラインデータ（図３のように符号ＬＤにライン番号を付して示す）と、右眼映像データ２００ｂのライン単位のデータを右眼ラインデータ（図３のように符号ＲＤにライン番号を付して示す）と称する。ここでは、左眼ラインデータの総数および右眼ラインデータの総数をそれぞれ５４０とする場合を例に挙げて説明する。
【００３３】
またデータ取得部１５０は、立体映像データまたは立体表示データの取得元が放送局１０４などから送出される動画であった場合、そのデータの左眼映像、右眼映像、表示開始位置等を特定可能な信号である同期信号も取得する。また、データ取得部１５０が取得する立体映像データまたは立体表示データが、通信網１１０を介して外部のサーバ１１２から取得する静止画である場合、そのデータの左眼映像、右眼映像、表示開始位置等を示す位置情報も取得する。データ取得部１５０は、取得した同期信号を通常ディスプレイ１２０Ａおよび反転ディスプレイ１２０Ｂに直接出力する。
【００３４】
データ処理部１５２は、データ取得部１５０が取得した立体表示データに対して、ＲＧＢ処理（γ補正や色補正）、エンハンス処理、ノイズ低減処理などを行う。
【００３５】
ライン検出部１５４は、データ取得部１５０が放送局１０４から立体表示データを取得している場合、その立体表示データに付随する同期信号に基づいて立体表示データの最初のラインの到来タイミングを検出し、検出結果をデータ遅延部１５６に出力する。
【００３６】
データ遅延部１５６は、反転ディスプレイ１２０Ｂに表示させるための立体表示データを奇数ライン分遅延させる。データ遅延部１５６は、立体表示データにおける奇数ライン分（１、３、５、７…ライン分本実施形態では１ライン分）を構成する画素数と同数のフリップフロップ回路で構成されている。例えば、データ取得部１５０が取得した立体表示データが１ライン２２００（有効画素数は１９２０）画素で構成されていた場合、データ遅延部１５６を構成するフリップフロップ回路は２２００個となる。
【００３７】
図４は、ライン検出部１５４とデータ遅延部１５６の構成を説明するための説明図である。図４に示すようにデータ遅延部１５６は、１ラインを構成する画素数と同数のフリップフロップ回路１６０を含んで構成され、フリップフロップ回路１６０のＤ端子に立体表示データが入力され、ｃｋ端子に画素クロックが入力される。フリップフロップ回路１６０は、画素クロックが立ち上がった時点の入力信号を取り込み、その結果をＱ端子に出力する。データ遅延部１５６におけるフリップフロップ回路１６０のＱ端子は後段のフリップフロップ回路１６０のＤ端子に接続されているため、画素クロックが立ち上がった時点では、後段のフリップフロップ回路１６０は、前段の１クロック前の入力信号を取り込むことになる。すなわち、データ遅延部１５６はシフトレジスタとして機能している。
【００３８】
したがって、立体表示データは、１ライン分を構成する画素数と同数のフリップフロップ回路１６０を経由することにより、１ライン分遅延することになる。
【００３９】
また、データ遅延部１５６は、ライン検出部１５４が最初のラインの到来タイミングを検出すると、立体表示データを１ライン分遅延させるときに生じる１ライン分の空白領域に任意のデータを設定する。
【００４０】
ここで図４を参照してデータ遅延部１５６による空白領域に対する任意のデータの設定について説明する。図４に示すようにライン検出部１５４は、データ取得部１５０が取得した同期信号に基づいて立体表示データの最初のラインの到来タイミングを検出し、検出結果を、すべてのフリップフロップ回路１６０のＣＬＲ端子に入力する。ここでフリップフロップ回路１６０は、ＣＬＲ端子に信号が入力されると、その立ち上がりでＱ端子の出力を０にする。これにより、ライン検出部１５４が最初のラインの到来タイミングを検出すると、フリップフロップ回路１６０のすべての出力が０になり、空白領域に相当するフリップフロップ回路１６０の数すなわち１ライン分がデータ０に設定されることになる。また、同様に、ライン検出部１５４が最初のラインの到来タイミングの検出時において、フリップフロップ回路１６０に０以外の任意のデータをロードすることで任意のデータ（例えば、黒色や他の色を示すデータ）を設定することもできる。
【００４１】
立体表示データを遅延させる際に生じる空白領域に任意のデータを設定する構成により、空白領域のデータを安定化することができる。仮に空白領域のデータが不定であると、空白領域のデータをディスプレイ１２０に表示したとき、ユーザは有効な立体映像を知覚できず、ユーザの眼に負担が生じる場合がある。したがって空白領域のデータを安定化することで、ユーザの眼に与える負担を軽減することが可能となる。
【００４２】
また、すべて０のデータは無効なデータとして扱われるため、ディスプレイ１２０上では黒色が表示されることになる。ディスプレイ１２０が液晶ディスプレイの場合、有効表示領域とベゼルの間には画像が表示されない領域が存在する。この画像が表示されない領域は、通常黒色である。したがって、空白領域に設定するデータを、この画像が表示されない領域の色と違和感のない色となるデータすなわちすべて０のデータにすることで、空白領域のデータが表示される表示ライン１２６をこの画像が表示されない領域と同化させることができ、空白領域のデータの存在を目立たなくすることが可能となる。
【００４３】
映像出力部１５８は、データ遅延部１５６を経由しない立体表示データと、データ遅延部１５６を経由した立体表示データとを切り換えてディスプレイ１２０に出力する。すなわち映像出力部１５８は、通常ディスプレイ１２０Ａには、データ処理部１５２が出力した立体表示データをそのまま順次出力し、反転ディスプレイ１２０Ｂには、データ遅延部１５６を経由して遅延した立体表示データを順次出力する。
【００４４】
ディスプレイ１２０（通常ディスプレイ１２０Ａ、反転ディスプレイ１２０Ｂ）は、液晶ディスプレイ、有機ＥＬディスプレイ等で構成され、表示面１２４に映像出力部１５８から出力された立体表示データを表示する。上述したように、立体映像表示装置１００は、反転ディスプレイ１２０Ｂを、通常ディスプレイ１２０Ａの上部に上下左右反転した状態で並置している。
【００４５】
ここで再度図１を参照してディスプレイ１２０について説明する。図１に示すようにディスプレイ１２０の表示面１２４には、隔行で（１表示ライン毎に）偏光特性が異なる偏光フィルタが設けられている。したがって、第１の表示ラインとしての奇数番号の表示ライン１２６ａ（Ｌ１、Ｌ３、Ｌ５、…、Ｌ（ｎ−１）、ｎは整数かつ偶数）と、第２の表示ラインとしての偶数番号の表示ライン１２６ｂ（Ｒ２、Ｒ４、…、Ｒｎ）とで偏光特性が異なっている。
【００４６】
図１では、奇数番号の表示ライン１２６ａの映像が偏光眼鏡の左眼側の偏光フィルタに、偶数番号の表示ライン１２６ｂが右眼側の偏光フィルタに対応しており、立体表示データにおける左眼ラインデータが奇数番号の表示ライン１２６ａに、右眼ラインデータが偶数番号の表示ライン１２６ｂに表示される。ここでは、ｎが１０８０であるディスプレイ１２０を例に挙げて説明する。
【００４７】
インターレース方式、表示規格、映像規格等に対応させるため、上述したように、ディスプレイ１２０の表示ライン１２６（図１中、１２６ａ、１２６ｂで示す）の総ライン数は一般的に偶数である。したがって、表示ライン１２６が水平方向に交互に配置されている通常ディスプレイ１２０Ａをユーザが視認するとき（通常表示させるとき）、通常ディスプレイ１２０Ａの最上部が表示ライン１２６ａ（Ｌ１）である場合には、最下部は表示ライン１２６ｂ（Ｒ１０８０）となる。すなわち、最上部と最下部の表示ライン１２６の偏光特性が異なることとなる。
【００４８】
図５は、映像出力部１５８が通常ディスプレイ１２０Ａに出力する際の処理について説明するための説明図であり、図６は、映像出力部１５８が反転ディスプレイ１２０Ｂに出力する際の処理について説明するための説明図である。なお図５（ｂ）および図６（ｂ）中、Ａ〜Ｐは画素を示す。
【００４９】
図５（ａ）に示すように、立体表示データ２０２を通常ディスプレイ１２０Ａに通常表示させる場合、映像出力部１５８は、立体表示データ２０２におけるラインデータの並び順に従ってラインデータを順次出力する。したがって、図５（ｂ）に示すように、通常ディスプレイ１２０Ａの表示ラインＬ１の画素Ａから画素Ｂには左眼ラインデータＬＤ１が表示され、次に、表示ラインＲ２の画素Ｃから画素Ｄに右眼ラインデータＲＤ１が表示される。そして、最終的に、表示ラインＬ１０７９の画素Ｍから画素Ｎに左眼ラインデータＬＤ５４０が表示され、表示ラインＲ１０８０の画素Ｏから画素Ｐに右眼ラインデータＲＤ５４０が表示されることとなる。
【００５０】
したがって、通常ディスプレイ１２０Ａを観察するユーザは、左右で偏光特性が異なる偏光眼鏡を通じて、奇数番号の表示ライン１２６aに表示された左眼ラインデータに基づく左眼映像を左眼で、偶数番号の表示ライン１２６ｂに表示された右眼ラインデータに基づく右眼映像を右眼で視認し、両眼視差による立体映像を通じて、表示面１２４と異なる結像位置でオブジェクトを知覚することが可能となる。
【００５１】
一方、図６（ｂ）に示すように、反転ディスプレイ１２０Ｂをユーザが視認するときには、反転ディスプレイ１２０Ｂの最上部は表示ライン１２６ｂ（Ｒ１０８０）となり、最下部は表示ライン１２６ａ（Ｌ１）となる。本実施形態の反転ディスプレイ１２０Ｂは、表示ライン１２６を構成する画素の表示順序を通常表示させる場合と逆にすることで、立体表示データ２０２を自動的に反転表示させる機能を有しているとする。したがって、図６（ａ）に示すように、映像出力部１５８が、通常ディスプレイ１２０Ａの場合と同様に立体表示データ２０２におけるラインデータの並び順に従ってラインデータを反転ディスプレイ１２０Ｂに出力してしまうと、左眼ラインデータＬＤが右眼用の表示ライン１２６ｂに、右眼ラインデータＲＤが左眼用の表示ライン１２６ａに表示されてしまう。このような表示状態では、ユーザが反転ディスプレイ１２０Ｂを見た場合に有効な立体映像を知覚することができなくなる。
【００５２】
そこで、本実施形態の映像出力部１５８は、図６（ａ）中、「反転表示」に示すように、１ラインを構成する画素数と同数のフリップフロップ回路１６０を経由させた立体表示データ２０２、すなわち１ライン分遅延させた立体表示データ２０２を反転ディスプレイ１２０Ｂに順次出力する。すると図６（ｂ）に示すように、反転ディスプレイ１２０Ｂには、入力された１ライン分遅延した立体表示データ２０２が順次表示されることとなり、左眼ラインデータＬＤが左眼用の表示ライン１２６ａに、右眼ラインデータＲＤが右眼用の表示ライン１２６ｂに表示される。この際、図６（ｂ）に示す表示ライン１２６ｂ（Ｒ１０８０）に、データ遅延部１５６が設定した任意のデータ（例えば０）が表示されることとなる。
【００５３】
このようにデータ遅延部１５６が、反転ディスプレイ１２０Ｂに表示させる立体表示データ２０２を奇数ライン分遅延させるといった簡単な処理を行うだけで、左眼映像データを左眼ラインに、右眼映像データを右眼ラインに表示させることが可能となり、反転ディスプレイ１２０Ｂにおいても通常ディスプレイ１２０Ａと同様に有効な立体表示を実現することが可能となる。
【００５４】
また、上記と異なり、反転表示させる機能を有さない反転ディスプレイに表示させるために立体表示データ２０２を遅延させる場合、例えば、図７に矢印で示す表示順で立体表示データ２０２を表示する反転ディスプレイ１３０に表示させるために立体表示データ２０２を遅延させる場合、データ遅延部１５６は、まず、立体表示データ２０２を図示しないメモリに保持させる。そしてデータ遅延部１５６は、メモリから逆の順すなわちＲＤ５４０からＬＤ１の順に立体表示データ２０２を読み出して、さらにフリップフロップ回路１６０を経由させることで、逆順に並べ替えた後の立体表示データ２０２を１ライン分遅延させることができる。これにより、反転ディスプレイ１３０においても通常ディスプレイ１２０Ａと同様に有効な立体表示を実現することができる。この際、図７に示す表示ライン１２６ａ（Ｌ１）に、データ遅延部１５６が設定した任意のデータ（例えば０）が表示されることとなる。
【００５５】
また、上述した実施形態では、データ遅延部１５６が立体表示データ２０２を本来の表示タイミングより１ライン遅延させて表示する例を挙げているが、立体表示データ２０２が反転ディスプレイ１２０Ｂの表示タイミングより相対的に遅延されていればよく、反転ディスプレイ１２０Ｂの表示タイミングを進める（早める）ことによっても目的を達成することができる。
【００５６】
すなわち、図８に示すように、データ処理部１５２は、通常ディスプレイ１２０Ａ同様、反転ディスプレイ１２０Ｂに本来の表示タイミングで立体表示データ２０２を出力し、データ取得部１５０に直接接続されたデータ遅延部１５６が、同期信号を１ライン分進め、その１ライン分進めた同期信号を反転ディスプレイ１２０Ｂのみに出力する。反転ディスプレイ１２０Ｂでは、１ライン分進められた同期信号に従って１ライン分早めに表示が開始され、２ライン目の表示タイミングでデータ処理部１５２から入力された立体表示データ２０２を表示し始める。こうして、立体表示データ２０２は、上述した実施形態同様２ライン目から表示されることとなり、反転ディスプレイ１３０においても通常ディスプレイ１２０Ａと同様に有効な立体表示を実現することが可能となる。
【００５７】
以上説明したように、本実施形態にかかる立体映像表示装置１００は、立体映像表示装置１００の処理能力が低い場合であっても立体表示データ２０２を奇数ライン分遅延させるといった簡単な処理を遂行するだけで、立体表示データ２０２と表示ライン１２６との対応関係を一致させることができる。このような映像出力部１５８が、遅延させた立体表示データ２０２を、反転ディスプレイ１２０Ｂに表示させる構成により、通常ディスプレイ１２０Ａと同様に有効な立体表示を実現することができる。
【００５８】
ところで、図１に示したように立体映像表示装置１００は、通常ディスプレイ１２０Ａの上部に反転ディスプレイ１２０Ｂで並置している。したがって、データ取得部１５０が取得した立体映像データまたは立体表示データに音声が付随している場合、反転ディスプレイ１２０Ｂのスピーカ１４０ａ、１４０ｂが上下左右反転された状態になるため、左の音声は、スピーカ１４０ｂ、１４０ｃから出力され、右の音声はスピーカ１４０ａ、１４０ｄから出力されることになる。
【００５９】
そこで、本実施形態の立体映像表示装置１００は、左の音声をスピーカ１４０ａ、１４０ｃが出力し、右の音声をスピーカ１４０ｂ、１４０ｄが出力することにより、誤った方向から音声が出力されることによる音像の混同を防止することが可能となる。また、立体映像表示装置１００がディスプレイ１２０を４つ備え、下に通常ディスプレイ１２０Ａを２つ通常ディスプレイ１２０Ａの上部に反転ディスプレイ１２０Ｂを２つ並置する場合、両端側に配置されるスピーカ１４０にそれぞれ左の音声および右の音声を出力させ、それ以外のスピーカからは音声を出力させないことで、誤った方向から音声が出力されることによる音像の混同を防止することができる。
【００６０】
（立体映像表示方法）
次に、上述した立体映像表示装置１００を用いて、両眼視差による立体映像を表示する立体映像表示方法を具体的に説明する。
【００６１】
図９は、立体映像表示方法の全体的な流れを示したフローチャートである。図９に示すように、データ取得部１５０は立体表示データおよび同期信号を取得し（Ｓ２００）、データ処理部１５２は立体表示データに対しＲＧＢ処理等の画像処理を行う（Ｓ２０２）。
【００６２】
そして、ライン検出部１５４は、立体表示データの最初のラインの到来タイミングを検出し、その検出結果をデータ遅延部１５６に入力する（Ｓ２０４）。データ遅延部１５６は、タイミング入力ステップＳ２０４において入力された検出結果に基づいて、すべてのフリップフロップ回路１６０の出力を任意のデータ（例えば０）に設定し（Ｓ２０６）、以後すべてのフリップフロップ回路１６０に入力される立体表示データを１ライン分遅延させる（Ｓ２０８）。
【００６３】
映像出力部１５８は、通常ディスプレイ１２０Ａに立体表示データ２０２を出力する場合（Ｓ２１０のＹＥＳ）、画像処理ステップＳ２０２において画像処理された立体表示データにおけるラインデータの並び順に従ってラインデータを順次出力する（Ｓ２１２）。
【００６４】
一方、映像出力部１５８は、反転ディスプレイ１２０Ｂに立体表示データ２０２を出力する場合（Ｓ２１０のＮＯ）、データ遅延ステップＳ２０８において１ライン分遅延させた立体表示データにおけるラインデータの並び順に従ってラインデータを順次出力する（Ｓ２１４）。
【００６５】
以上説明したように、本実施形態にかかる立体映像表示方法においても、立体表示データを奇数ライン分遅延させるといった簡単な処理を遂行するだけで、反転ディスプレイ１２０Ｂに立体表示データを表示させる場合にも、通常ディスプレイ１２０Ａに表示させる場合と同様に有効な立体表示を実現することが可能となる。
【００６６】
（第２の実施形態：情報処理装置３００）
上述した第１の実施形態において、立体表示データを奇数ライン分遅延させて表示させることで、反転ディスプレイ１２０Ｂに表示させる場合にも、有効な立体表示を実現できる立体映像表示装置１００について説明した。本実施形態では、予め立体表示データ自体を加工することで、反転ディスプレイ１２０Ｂに映像を反転表示させる場合にも、通常ディスプレイ１２０Ａに表示させる場合と同様に有効な立体表示を実現することが可能な情報処理装置３００について説明する。なお、上述した第１の実施形態と実質的に等しい構成要素については、同一の符号を付して説明を省略する。
【００６７】
図１０は、第２の実施形態における情報処理装置３００の概略的な機能を示した機能ブロック図である。図１０に示すように、情報処理装置３００は、映像生成部３１０と、映像保持部としての左眼映像保持部３１２ａおよび右眼映像保持部３１２ｂと、ラインシーケンシャル部３１４と、ディスプレイ１２０（通常ディスプレイ１２０Ａ、反転ディスプレイ１２０Ｂ）とを含んで構成される。
【００６８】
映像生成部３１０は、ユーザによる操作部（図示せず）等への操作入力に応じて、立体映像データを生成する。ここで立体映像データは、例えば、ユーザが個人的に撮像した映像データである。そして映像生成部３１０は、生成した立体映像データに演算処理を施して両眼視差による立体視を実現させるための左眼映像データと右眼映像データを生成し、左眼映像データを左眼映像保持部３１２ａに、右眼映像データを右眼映像保持部３１２ｂに保持させる。また、映像生成部３１０は、外部の放送局１０４から放送された立体映像データを、アンテナ１０６を介して取得したり、ＤＶＤやＢＤといった記録媒体１０８や、通信網（インターネットやＬＡＮ）１１０を介して外部のサーバ１１２から立体映像データを取得したりすることもできる。また映像生成部３１０は、立体映像データの左眼映像、右眼映像、表示開始位置等を特定可能な信号である同期信号を、通常ディスプレイ１２０Ａおよび反転ディスプレイ１２０Ｂに直接出力する。
【００６９】
左眼映像保持部３１２ａは、映像生成部３１０が生成した左眼映像データを、右眼映像保持部３１２ｂは、右眼映像データをそれぞれ独立して保持する。
【００７０】
ラインシーケンシャル部３１４は、通常ディスプレイ１２０Ａに表示するため、立体映像データにおける左眼映像データと右眼映像データとがそれぞれ第１の表示ラインと第２の表示ラインに対応するように、各水平ラインを交互に並置して第１の立体表示データ２０２ａを通常ディスプレイ１２０Ａに出力する。またラインシーケンシャル部３１４は、反転ディスプレイ１２０Ｂに表示させるため、立体映像データ２００における左眼映像データと右眼映像データとがそれぞれ第２の表示ラインと第１の表示ラインに対応するように、各水平ラインを交互に並置して第２の立体表示データ２０２ｂを反転ディスプレイ１２０Ｂに出力する。
【００７１】
図１１および図１２は、ラインシーケンシャル部３１４を説明するための説明図である。図１１（ａ）に示すようにラインシーケンシャル部３１４は、ラインカウント部３２０と、第１スイッチ３２２と、ライン数判断部３２４と、置換部３２６と、第２スイッチ３２８とを含んで構成される。
【００７２】
ラインカウント部３２０は、出力を試みる立体表示データの対象を特定するための対象ライン名を所定の順番（例えば、図１１（ｂ）に示す順番）に沿って、ＬＤ１からＲＤ１０８０まで順次カウントし、カウント結果を第１スイッチ３２２、ライン数判断部３２４および置換部３２６に出力する。
【００７３】
第１スイッチ３２２は、後述するライン数判断部３２４の制御信号に応じて、ラインカウント部３２０に接続される入力端子、または後述する置換部３２６に接続される入力端子のいずれかと、第２スイッチ３２８に接続される出力端子とを接続する。
【００７４】
ライン数判断部３２４は、ラインカウント部３２０がカウントした対象ライン名に基づいて第１スイッチ３２２の入力端子と出力端子との接続点を切り換える。ここでライン数判断部３２４は、対象ライン名がＬＤ１からＲＤ５４０の場合、すなわち図１２に示す立体表示データ２０２ｂを生成する場合は入力を置換部３２６側に接続し、対象ライン名がＬＤ５４１からＲＤ１０８０の場合すなわち立体表示データ２０２ａを生成する場合はラインカウント部３２０と直接接続する。
【００７５】
置換部３２６は、ラインカウント部３２０がカウントした対象ライン名のＬとＲとを置換して第１スイッチ３２２に出力する。例えば、ラインカウント部３２０がカウントした対象ライン名がＬＤｎである場合、置換部３２６は、ＬＤｎをＲＤｎに置換し、置換後のＲＤｎを第１スイッチ３２２に出力する。同様に、ラインカウント部３２０がカウントした対象ライン名がＲＤｎである場合、ＲＤｎをＬＤｎに置換し、置換後のＬＤｎを第１スイッチ３２２に出力する。
【００７６】
第２スイッチ３２８は、第１スイッチ３２２から出力される対象ライン名に基づいて、左眼映像保持部３１２ａまたは右眼映像保持部３１２ｂが保持する映像データをライン単位で読み出し順次ディスプレイ１２０に出力する。
【００７７】
したがって、図１２に示すように、ラインシーケンシャル部３１４は、通常ディスプレイ１２０Ａに立体表示データ２０２ａを出力する場合には、ラインカウント部３２０がカウントした対象ライン名順に左眼ラインデータと右眼ラインデータとが交互に並置された立体表示データ２０２ａを出力することとなる。
【００７８】
また、図１２に示すように、ラインシーケンシャル部３１４は、反転ディスプレイ１２０Ｂに立体表示データ２０２ｂを出力する場合には、ラインカウント部３２０がカウントした対象ライン名のＬとＲとが置換部３２６により置換されて、すなわち、隣接するラインデータ（左眼ラインデータＬＤと右眼ラインデータＲＤ）同士、例えば、左眼ラインデータＬＤ１と右眼ラインデータＲＤ１とを入れ替え、左眼ラインデータＬＤ５４０と右眼ラインデータＲＤ５４０を入れ替えた立体表示データ２０２ｂを出力することとなる。
【００７９】
以上説明したように、情報処理装置３００のように、処理能力が高く、データの組み替え等の処理が負担にならない場合、情報処理装置３００は、データを損なうことなく、反転ディスプレイ１２０Ｂに対応した立体表示データ２０２ｂを確実に出力することが可能となる。したがって、情報処理装置３００が、ディスプレイ１２０に表示させる前段で、あらかじめデータを組み替えて反転ディスプレイ１２０Ｂ用のデータを生成する構成により、ディスプレイ１２０側では何ら処理を行わずとも、反転ディスプレイ１２０Ｂも通常ディスプレイ１２０Ａと同様に有効な立体表示を実現することができる。
【００８０】
（立体映像表示方法）
次に、上述した情報処理装置３００を用いて、通常ディスプレイ１２０Ａに表示させる立体表示データ２０２ａと反転ディスプレイ１２０Ｂに表示させる立体表示データ２０２ｂをそれぞれ出力する立体映像表示方法を具体的に説明する。
【００８１】
図１３は、立体映像表示方法の全体的な流れを示したフローチャートである。図１３に示すように、映像生成部３１０は立体映像データを生成する（Ｓ４００）。そして左眼映像保持部３１２ａは、左眼映像データを、右眼映像保持部３１２ｂは、右眼映像データを個別に保持する（Ｓ４０２）。
【００８２】
一方、ラインシーケンシャル部３１４のラインカウント部３２０は、出力を試みる立体表示データの対象ライン名をＬＤ１からＲＤ１０８０まで順次カウントし、カウント結果を第１スイッチ３２２、ライン数判断部３２４および置換部３２６に出力する（Ｓ４０４）。置換部３２６は、ラインカウント部３２０がカウントした対象ライン名のＬとＲとを置換して第１スイッチ３２２に出力する（Ｓ４０６）。
【００８３】
そしてライン数判断部３２４は、カウントされた対象ライン名がＬＤ１からＲＤ５４０であるか否かを判定し（Ｓ４０８）、カウントされた対象ライン名がＬＤ１からＲＤ５４０である場合（Ｓ４０８のＹＥＳ）、ライン数判断部３２４は、第１スイッチ３２２の入力を置換部３２６側に接続にする（Ｓ４１０）。すると、第１スイッチ３２２は、置換部３２６によって、ラインカウント部３２０がカウントした対象ライン名のＬとＲとが置換された対象ライン名を第２スイッチ３２８に出力する（Ｓ４１２）。そして第２スイッチ３２８は、置換された対象ライン名に基づいて、データ保持ステップＳ４０２で保持した左眼映像データまたは右眼映像データをライン単位で読み出し、順次反転ディスプレイ１２０Ｂに出力する（Ｓ４１４）。
【００８４】
一方、カウントされた対象ライン名がＬＤ１からＲＤ５４０でない場合すなわちＬＤ５４１からＲＤ１０８０である場合（Ｓ４０８のＮＯ）、ライン数判断部３２４は、第１スイッチ３２２の入力を直接ラインカウント部３２０に接続する（Ｓ４１６）。すると、第１スイッチ３２２は、ラインカウント部３２０がカウントした対象ライン名を第２スイッチ３２８に出力する（Ｓ４１８）。そして第２スイッチ３２８は、ラインカウント部３２０によってカウントされた対象ライン名に基づいて、データ保持ステップＳ４０２で保持した左眼映像データまたは右眼映像データをライン単位で読み出し、順次出力する（Ｓ４１４）。
【００８５】
そして、すべての対象ライン名について出力したか、すなわちＲＤ１０８０について出力したか否かを判定し（Ｓ４２０）、終了していなければ（Ｓ４２０のＮＯ）、ラインカウントステップＳ４０４に戻ってデータの出力処理を繰り返す。
【００８６】
以上説明したように、本実施形態にかかる立体映像表示方法においても、ディスプレイ１２０側では何ら処理を行わずとも、反転ディスプレイ１２０Ｂも通常ディスプレイ１２０Ａと同様に有効な立体表示を実現することが可能となる。
【００８７】
以上、添付図面を参照しながら本発明の好適な実施形態について説明したが、本発明はかかる実施形態に限定されないことは言うまでもない。当業者であれば、特許請求の範囲に記載された範疇において、各種の変更例または修正例に想到し得ることは明らかであり、それらについても当然に本発明の技術的範囲に属するものと了解される。
【００８８】
例えば、上述した実施形態において、ディスプレイには、表示ラインが水平方向に並置されたディスプレイを用いて説明をしたが、表示ラインが鉛直方向に並置されたディスプレイを用いても本発明の効果を得ることができる。また、ディスプレイにおける１表示ラインを１画素ラインとして説明したが、任意の数の画素ラインを１表示ラインとしてもよい。
【００８９】
なお、本明細書の立体映像表示方法の各工程は、必ずしもフローチャートとして記載された順序に沿って時系列に処理する必要はなく、並列的あるいはサブルーチンによる処理を含んでもよい。
【産業上の利用可能性】
【００９０】
本発明は、ディスプレイを通じて両眼視差による立体映像を結像させることが可能な立体映像表示装置、情報処理装置および立体映像表示方法に利用することができる。
【符号の説明】
【００９１】
１００  …立体映像表示装置
１２０  …ディスプレイ
１２０Ａ  …通常ディスプレイ
１２０Ｂ  …反転ディスプレイ
１５０  …データ取得部
１５２  …データ処理部
１５４  …ライン検出部
１５６  …データ遅延部
１５８  …映像出力部
１６０  …フリップフロップ回路
３００  …情報処理装置
３１０  …映像生成部
３１２ａ  …左眼映像保持部（映像保持部）
３１２ｂ  …右眼映像保持部（映像保持部）
３１４  …ラインシーケンシャル部
【図１】
0005387316.tif 000002
【図２】
0005387316.tif 000003
【図３】
0005387316.tif 000004
【図４】
0005387316.tif 000005
【図５】
0005387316.tif 000006
【図６】
0005387316.tif 000007
【図７】
0005387316.tif 000008
【図８】
0005387316.tif 000009
【図９】
0005387316.tif 000010
【図１０】
0005387316.tif 000011
【図１１】
0005387316.tif 000012
【図１２】
0005387316.tif 000013
【図１３】
0005387316.tif 000014
【図１４】
0005387316.tif 000015